(57)【要約】【課題】情報保護シート上に形成された情報が消去前までは記録保持に優れ、剥離作業の時間と手間を省き、作業者が疲労することのない情報保護シート形成材料を提供する。【解決手段】情報８が記録された情報シート３と透明基材４上に接着層５を有してなる透明接着基材２とを、前記情報シート３の情報８を有する側と前記透明接着基材２の接着層５側とを対向するように貼り合わせてなる情報保護シート１であって、前記情報保護シート１から前記透明接着基材２を剥離する際に、前記情報８が前記透明接着基材２とともに除去される部分と除去されずに前記情報シート３に残存する部分とを有するように構成する。【選択図】図１
2008238516.tif 000002
【特許請求の範囲】
【請求項１】
情報が記録された情報シートと透明基材上に接着層を有してなる透明接着基材とを、前記情報シートの情報を有する側と前記透明接着基材の接着層側とを対向するように貼り合わせてなる情報保護シートであって、前記情報保護シートから前記透明接着基材を剥離する際に、前記情報が前記透明接着基材とともに除去される部分と除去されずに前記情報シートに残存する部分とを有することを特徴とする情報保護シート。
【請求項２】
前記接着層は接着力の強い部分と弱い部分もしくは接着力の強い部分と接着力を有しない部分とが混在してなり、前記情報保護シートから前記透明接着基材を剥離する際に、接着力の強い部分に対応する情報が前記透明接着基材とともに除去され、接着力の弱い部分もしくは接着力を有しない部分に対応する情報が前記情報シートに残存することを特徴とする請求項１記載の情報保護シート。
【請求項３】
情報が記録可能な記録材料と透明基材上に接着層を有する透明接着基材とからなる情報保護シート形成材料であって、前記記録材料の情報が記録可能な側と前記透明接着基材の接着層側とを対向して貼り合わせた後、前記記録材料から前記透明接着基材を剥離する際に、前記記録材料の少なくとも表面部分が前記透明接着基材とともに除去される部分と除去されない部分とを有することを特徴とする情報保護シート形成材料。
【発明の詳細な説明】
【技術分野】
【０００１】
本発明は、情報保護可能な情報保護シート、および情報保護シート形成材料に関する。
【背景技術】
【０００２】
郵便物は個人情報の住所や宛名を含んでおり廃棄する際に住所や宛名を含む部分や全体を手で細かく破いたりハサミやシュレッダーを使って細かく裁断するなどして処理していた。
【０００３】
しかし、その処理は手作業の場合は大変手間がかかるという問題や、シュレッダーの場合は設置場所への移動を要し、情報を即座に消去できないという問題があった。
【０００４】
かかる問題を解決するため、情報シート上に住所や宛名などの個人情報を記載するようにして、廃棄するときには個人情報が記録されている受像層をコインなどで剥離層ごとこすりとるようにして、視認できないようにした個人情報保護シートが提案されている（特許文献１）。
【０００５】
【特許文献１】特開２００６−２８５２０３号公報
【発明の開示】
【発明が解決しようとする課題】
【０００６】
しかし、特許文献１の方法によると、郵便物が配送途中にこする力が加わると、情報保護シート上に形成された受像層が剥離し、記録された住所や宛名を含む個人情報を失って判読不能となり、事故となってしまう。また、個人情報を剥離する工程ではこする動作を複数回行うため、剥離完了までの時間と手間を要する。多枚数を処理する場合には、作業者が疲労してしまう。
【０００７】
本発明は、上述の事情に鑑みなされたもので、情報の消去前までは記録保持に優れ、剥離作業の時間と手間を省き、作業者が疲労することのない情報保護シート及び情報保護シート形成材料を提供することを目的とする。
【課題を解決するための手段】
【０００８】
上記課題を解決する本発明の情報保護シートは、情報が記録された情報シートと透明基材上に接着層を有してなる透明接着基材とを、前記情報シートの情報を有する側と前記透明接着基材の接着層側とを対向するように貼り合わせてなる情報保護シートであって、前記情報保護シートから前記透明接着基材を剥離する際に、前記情報が前記透明接着基材とともに除去される部分と除去されずに前記情報シートに残存する部分とを有することを特徴とするものである。
【０００９】
さらに、本発明の情報保護シートは、前記接着層は接着力の強い部分と弱い部分もしくは接着力の強い部分と接着力を有しない部分とが混在してなり、前記情報保護シートから前記透明接着基材を剥離する際に、接着力の強い部分に対応する情報が前記透明接着基材とともに除去され、接着力の弱い部分もしくは接着力を有しない部分に対応する情報が前記情報シートに残存することを特徴とするものである。
【００１０】
本発明の情報保護シート形成材料は、情報が記録可能な記録材料と透明基材上に接着層を有する透明接着基材とからなる情報保護シート形成材料であって、前記記録材料の情報が記録可能な側と前記透明接着基材の接着層側とを対向して貼り合わせた後、前記記録材料から前記透明接着基材を剥離する際に、前記記録材料の少なくとも表面部分が前記透明接着基材とともに除去される部分と除去されない部分とを有することを特徴とするものである。
【発明の効果】
【００１１】
本発明の情報保護シートは、印字された個人情報を簡易に判読不能な状態にできる。また、本発明の情報保護シートを郵便物の宛名ラベルとして使用した場合に配送中の摩擦で判読不能となることがなく情報の消去前までは記録保持に優れており、さらに廃棄時は保護シートをつまんで剥離する１回の動作で情報消去が完了するため、操作性が良く作業時間の短縮と手間を省くことができ、作業者が疲労することもない。
【発明を実施するための最良の形態】
【００１２】
本発明の情報保護シートは、情報が記録された情報シートと透明基材上に接着層を有してなる透明接着基材とを、前記情報シートの情報を有する側と透明接着基材の接着層側とを対向するように貼り合わせてなる情報保護シートであって、情報保護シートから透明接着基材を剥離する際に、情報が透明接着基材とともに除去される部分と除去されずに前記情報シートに残存する部分とを有することを特徴とするものである。以下、各構成要素の実施の形態を説明する。
【００１３】
図１、図２は、本発明の情報保護シートの実施の形態を示す断面図である。図示するように、本発明の情報保護シート１は、情報シート３と透明接着基材２を有するものである。
【００１４】
情報シート３は、情報８が記録されたシートである。このような情報シート３は、情報８が記録可能な記録材料に情報８が記録されてなるものである。
【００１５】
情報８が記録可能な記録材料としては、紙などの単層のものであってもよいし、基材７上に情報記録可能な層（記録層６）を有するような二層以上のものであってもよい（図２）。このような記録材料は、記録方式に合わせて従来公知のものを使用することができる。また、記録材料は、後述する透明接着基材２の接着層５側と情報８が記録可能な側とを対向して貼り合わせた後、記録材料から透明接着基材２を剥離する際に、記録材料の少なくとも表面部分が透明接着基材２とともに剥離もしくは凝集破壊により除去される部分と、除去されない部分とを有するものである。
【００１６】
透明接着基材２は、透明基材４と接着層５から構成される。情報シート３の情報８を有する側と透明接着基材２の接着層５側とを対向するように貼り合せて本発明の情報保護シート１が形成される。情報保護シート１から透明接着基材２を剥離する際には、情報８が透明接着基材２とともに除去される部分と除去されずに情報シート３に残存する部分とを有することから、廃棄する際に情報８を保護することができる（図３、図４、図５（ｃ））。
【００１７】
情報８の除去のされ方には、剥離による場合、凝集破壊による場合、および剥離と凝集破壊が同時に発生する場合があるが、透明接着基材２の剥離後に情報８が判読不能となればどのように除去されてもよい。
【００１８】
その剥離とは、情報シート３が単層で構成されている場合には、情報シート３の表層部分から底層部分までが一体化して剥離される（図３）。情報シート３が二層でなり記録層６と基材７で構成されている場合では、記録層６の表層部分から底層部分までが一体化して剥離される（図４）。
【００１９】
その凝集破壊とは、情報シート３が単層で構成されている場合では、情報シート３の表層部分が凝集破壊して除去される（図７（ａ））。情報シート３が二層でなり記録層６と基材７で構成されている場合では、記録層６の表層部分が凝集破壊して除去される場合（図７（ｂ））と、記録層６が剥離されると共に基材７が凝集破壊される場合とがある（図７（ｃ））。図７は接着層５の接着力の強い部分９で凝集破壊されている状態を示している。
【００２０】
透明基材４は、光透過性が良好なものであれば特に限定されることなく、ポリエチレンテレフタレート、ポリブチレンテレフタレート、ポリエチレンナフタレート、ポリカーボネート、ポリエチレン、ポリプロピレン、ポリスチレン、トリアセチルセルロース、アクリル、ポリ塩化ビニルなどのプラスチックフィルムなどが使用できる。
【００２１】
接着層５は、情報保護シート１から透明接着基材２を剥離する際に、情報８が透明接着基材２とともに除去される部分と除去されずに情報シート３に残存する部分とを有するように設計する。
【００２２】
このように設計するには、以下の２つの手段があげられる。
【００２３】
第一の手段としては、接着層５を部分的に設ける手段があげられる。接着層５を部分的に設けると、接着層を有する部分９では接着層５が情報シート３と接着して情報８を除去でき、接着層を有しない部分１０では、情報８を除去することができず情報シート３に残存する。
【００２４】
第一の手段により情報８を除去するためには、各界面に存在する接着力が以下の条件を満足するように設計する必要がある。例えば、接着層５と記録層６との間の接着力を（１）とし、記録層６が剥離される力を（ａ）、記録層６が凝集破壊される力を（ｂ）、記録層６が剥離されると共に基材７が凝集破壊される力を（ｃ）とする（基材７を有する場合）。この場合に、（ａ）、（ｂ）、（ｃ）の力のうち少なくとも１つが（１）の力を下回れば、接着層を有する部分９において（ａ）、（ｂ）、（ｃ）のうち最も弱い力に対応する現象が発生し、接着層を有する部分９に対応する情報８が除去され、接着層を有しない部分１０に対応する情報８は残存する。なお、（ａ）、（ｂ）、（ｃ）の力の全てが（１）の力を上回る場合には、（ａ）、（ｂ）、（ｃ）に対応する現象は発生せず、接着層を有する部分９に対応する情報８は除去されない。
【００２５】
第一手段の接着層５を構成する接着剤としては、例えば、アクリル系樹脂、ウレタン系樹脂、ポリエステル系樹脂、シリコーン系樹脂などの接着剤で、上記条件を満足するものを使用する。
【００２６】
第二の手段としては、接着層５の接着力の強い部分９と接着力の弱い部分１０とを混在させる手段があげられる。このような構成とすることにより、透明接着基材２を剥離する際に、接着力の強い部分９に対応して情報８が透明接着基材２とともに除去できる部分と、接着力の弱い部分１０に対応して情報８が情報シート３に残存する部分とに分離される。
【００２７】
第二の手段により情報８を除去するための条件は、各界面に存在する接着力が以下の条件を満足するように設計する必要がある。例えば、接着層５の接着力の強い部分９と記録層６との間の接着力を（１）、接着層５の接着力の弱い部分１０と記録層６との間の接着力を（２）とし、記録層６が剥離される力を（ａ）、記録層６が凝集破壊される力を（ｂ）、記録層６が剥離されると共に基材７が凝集破壊される力を（ｃ）とする（基材７を有する場合）。この場合に、（ａ）、（ｂ）、（ｃ）の力のうち少なくとも１つが（１）の力を下回り、かつ（ａ）、（ｂ）、（ｃ）の力のうち（２）の力を下回るものが１つも存在しないとき、接着力の強い部分９において（ａ）、（ｂ）、（ｃ）のうち最も弱い力に対応する現象が発生し、接着層５の接着力の強い部分９に対応する情報８が除去され、接着層５の接着力の弱い部分１０に対応する情報８は残存する。なお、（ａ）、（ｂ）、（ｃ）の力の全てが（１）の力を上回る場合には、（ａ）、（ｂ）、（ｃ）に対応する現象が発生せず、接着層５の接着力の強い部分９に対応する情報８は除去されない。また、（ａ）、（ｂ）、（ｃ）の力のうち１つでも（２）の力を下回った場合には、全ての情報８が除去されてしまう。
【００２８】
第二の手段の接着層５を構成する接着剤としては、上記条件を満足するものを使用する。接着力の強い部分９と弱い部分１０を設けるには、二種類の接着剤を使用すれば良い。
【００２９】
接着層を有する部分９と接着層を有しない部分１０との混在パターン、もしくは接着力の強い部分９と接着力の弱い部分１０との混在パターンは、情報シート３に形成された文字の大きさ、情報シート３に形成された範囲に応じて当該パターンの形状と範囲を選択することが好ましい。このように選択することにより、透明接着基材２を剥離後には情報８を判読不能にすることができる（図５（ｃ））。
【００３０】
例えばパターンの形状は、情報シート３に形成された文字の大きさに応じて混在パターンの形状を選択する。
【００３１】
このようなパターンの形状は、特に限定されるものではなく、ストライプ模様、一松模様、唐草模様や他の模様であってもよい。例えばストライプ模様とした場合は、ストライプ部分を接着力の強い部分９と接着力の弱い部分１０または接着力を有しない部分１０というように交互に配置したり、あるいはランダムに配置したりして設計してもよい（図５(ａ)、図６）。
【００３２】
パターンの範囲は、情報シート３に記録された情報８を判読不能にする範囲に応じて選択する。
【００３３】
以上のような混在パターンにより、剥離後に残存した情報シート３の情報８が不連続な文字情報の羅列となることにより判読不能となる。他方の接着層５に接着して除去された情報シート３の情報８も、不連続な文字情報の羅列となり判読不能となる（図５（ｃ））。
【００３４】
本実施形態の情報保護シート１は、郵便物などの個人情報を含む宛名、住所のシートとして使用できる。このように使用した情報保護シート１は、輸送中の不意な脱落による事故や、摩擦による記録の欠落が原因で判読不能となるようなことがない。
【００３５】
次に、本発明の情報保護シート形成材料について説明する。
【００３６】
本発明の情報保護シート形成材料は、情報８が記録可能な記録材料と透明基材４上に接着層５を有する透明接着基材２とからなる情報保護シート形成材料であって、記録材料の情報８が記録可能な側と透明接着基材２の接着層５側とを対向して貼り合わせた後、記録材料から透明接着基材２を剥離する際に、記録材料の少なくとも表面部分が透明接着基材２とともに除去される部分と除去されない部分とを有することを特徴とするものである。以下、各構成要素の実施形態を説明する。
【００３７】
情報８が記録可能な記録材料は、上述したような紙、基材７上に情報記録可能な層（記録層６）を有するなど従来公知のものが使用できる。
【００３８】
透明接着基材２は、上述した情報保護シート１を構成する透明接着基材２と同様なものが使用できる。
【００３９】
本発明の情報保護シート形成材料は、まず、情報８が記録可能な記録材料に情報８を記録して情報シート３とする。こうして情報シート３と透明接着基材２とを得る(図５(ａ))。次いで、情報シート３と透明接着基材２とを貼り合わせる（図５（ｂ））。次いで、透明接着基材２の端を摘んで剥離すると、情報８が透明接着基材２とともに除去される部分と除去されずに情報シート３に残存する部分とを有する（図５（ｃ））。このようにすると不連続な情報８の羅列となり容易に判読不能とすることができ、情報保護シート１の情報８を保護することができるというすばらしい効果が得られる。
【実施例】
【００４０】
以下、実施例により本発明を説明する。尚、「部」「％」は特記しない限り、重量基準である。
【００４１】
［実施例１］
厚み１００μｍの透明ポリエステルフィルム（ルミラーT60：東レ社）上に、インク受容層塗布液（IJ140：大日本インキ化学工業社）を、乾燥後の厚みが８μｍとなるようにバーコーティング法により塗布し、１３０℃で３分乾燥して記録層（インク受容層）を形成し、記録材料を得た。
【００４２】
得られた記録材料の記録層（インク受容層）側に、インクジェットプリンタ（ＪＶ−２：ミマキエンジニアリング社）で、文字サイズ１２ポイント、２３文字、５行の情報を、縦３０ｍｍ、横１００ｍｍの範囲に記録して情報が記録された情報シートを得た。
【００４３】
次いで、厚さ１００μｍの片面が易接着処理されたポリエステルフィルムの易接着処理面に、水性スクリーン粘着剤（ＳＳＡＱリオタック5361：東洋インキ製造社）を用いてスクリーン印刷により格子状の接着層（１個の格子が１辺４ｍｍの正四角形、格子外周の粘着部分が２ｍｍ、粘着部分に囲まれた格子内部の非粘着部分が２ｍｍ、粘着部分の厚さが１０μｍ）を形成し、透明接着基材を得た（図６）。
【００４４】
次いで、情報が記録された情報シートの情報が記録された側（インク受容層側）に、透明接着基材の接着層側を接着させて情報保護シートを得た。
【００４５】
次いで、情報保護シートの透明接着基材の端をつまんで透明接着基材を剥離し、透明接着基材とともに除去される部分の情報と、情報シートに残存する部分の情報とを目視で確認し、情報を判読不能とする効果について評価を行った。なお、透明接着基材を剥離する際は、透明接着基材の接着層を有する部分（格子の外周の粘着部分）に対応する情報シートの記録層が、記録層の表層部分から底層部分まで一体化して剥離されていた。
【００４６】
その結果、透明接着基材とともに除去された情報は文字の一部が欠落して容易に判読できなかった。また、情報シートに残存した情報は文字の一部が欠落して容易に判読できなかった。情報シートに残存した情報は、接着層の格子内部の非粘着形状に対応して完全に残存し、文字の一部が欠落して容易に判読できなかった。
【００４７】
以上の実施例からも明らかなように、本発明によれば、廃棄時には情報保護シートの透明接着基材を剥離することで記録された情報を判読不能にして、情報保護シートに記録した情報を簡易に保護することができる。
【図面の簡単な説明】
【００４８】
【図１】本発明の情報保護シートの一実施例を示す断面図
【図２】本発明の情報保護シートの他の実施例を示す断面図
【図３】本発明の情報保護シートから透明接着基材を剥離した後の一例を示す断面図
【図４】本発明の情報保護シートから透明接着基材を剥離した後の一例を示す断面図
【図５】本発明による情報保護を説明する図
【図６】本発明の情報保護シートの接着層が有するパターンの形状の例を示す平面図
【図７】本発明の情報保護シートの凝集破壊を説明する図
【符号の説明】
【００４９】
１・・・・情報保護シート
２・・・・透明接着基材
３・・・・情報シート
４・・・・透明基材
５・・・・接着層
６・・・・記録層
７・・・・基材
８・・・・情報
９・・・・接着層を有する部分又は接着力の強い部分
１０・・・接着層を有しない部分又は接着力の弱い部分
【図１】
2008238516.tif 000003
【図２】
2008238516.tif 000004
【図３】
2008238516.tif 000005
【図４】
2008238516.tif 000006
【図５】
2008238516.tif 000007
【図６】
2008238516.tif 000008
【図７】
2008238516.tif 000009